(57)【要約】【課題】  身近にあるペットボトルを使用して撮影でき、コンパクト・軽量で、取り扱いの簡単なスマートフォンスタンドを提供する。【解決手段】  ペットボトルのキャップに嵌合する環状の篏合部を有する本体部と、この本体部の一端に設けられた回転軸と、この一端の略１８０度反対側の他端部に設けられた回転軸周りに回転可能なスマートフォン取付部から構成され、このスマートフォン取付部は対になったスマートフォン取付体を有し、このスマートフォン取付体の間にスマートフォンを挿入・把持するスマートフォン把持部を有すること特徴とするスマートフォンスタンド。スマートフォンスタンド１０をペットボトル５０のキャップに嵌合させ、スマートフォン把持部３３にスマートフォン６０を挿入して自立させることができる【選択図】図２
2020034791.tif 000002
【特許請求の範囲】
【請求項１】
ペットボトルのキャップに嵌合する環状のセレーション付き篏合部を有する本体部と、この本体部の上方に設けられたスマートフォン取付部とから構成され、このスマートフォン取付部は略平行な対になったスマートフォン取付体を有し、このスマートフォン取付体の間にスマートフォンを挿入・把持するスマートフォン把持部を有することを特徴とするスマートフォンスタンド。
【請求項２】
ペットボトルのキャップに嵌合する環状の篏合部を有する本体部と、この本体部に設けられた回転軸と、この回転軸周りに回転可能なスマートフォン取付部とから構成され、このスマートフォン取付部は対になったスマートフォン取付体を有し、このスマートフォン取付体の間にスマートフォンを挿入・把持するスマートフォン把持部を有すること特徴とするスマートフォンスタンド。
【請求項３】
ペットボトルのキャップに嵌合する環状の篏合部を有する本体部と、この本体部の一端に設けられた回転軸と、この一端の略１８０度反対側の他端部に設けられた回転軸周りに回転可能なスマートフォン取付部から構成され、このスマートフォン取付部は対になったスマートフォン取付体を有し、このスマートフォン取付体の間にスマートフォンを挿入・把持するスマートフォン把持部を有すること特徴とするスマートフォンスタンド。
【請求項４】
請求項２又は請求項３のスマートフォンスタンドの回転軸に回転調整部を設けたことを特徴とするスマートフォンスタンド。
【発明の詳細な説明】
【技術分野】
【０００１】
この発明は、スマートフォン等のカメラ付き携帯電話を自立させて写真撮影する際に使用するスマートフォンスタンドに関する。
【背景技術】
【０００２】
従来、スマートフォン等のカメラ付き携帯電話で自分を含めて複数人を撮影するには、自撮り棒を用いていたが、自撮り棒では２人から３人しか撮影できなかった。又、自撮り棒は、伸縮可能であるとは言え、嵩張って重いため、ポケットやバッグに入れるには邪魔になっていた。
【先行技術文献】
【特許文献】
【０００３】
【特許文献１】特開２０１２−３７８３１
【発明の概要】
【発明が解決しようとする課題】
【０００４】
そこで、特許文献１のように、ペットボトルを利用した技術が提案されていた。ペットボトルは、家庭内で欠かせないものであり、外出時にも持ち歩くことが多く、写真撮影時に手に入り易いものであることを利用している。特許文献１は、シート状部材３を折り曲げて組み立て、差し込み開口部２にスマートフォンを差し込んで撮影するものである。
【０００５】
しかしながら、この技術ではシート状部材３の折り曲げが複雑であり、いざ写真を撮ろうとするとき、もたついてしまう問題があった。また、シート状部材３は、硬すぎると組み立てが困難になり、柔らかすぎると剛性が不足し、スマートフォンをしっかり支えられないという問題もあった。
【課題を解決するための手段】
【０００６】
ペットボトルのキャップに嵌合する環状のセレーション付き篏合部を有する本体部と、この本体部の上方に設けられたスマートフォン取付部とから構成され、このスマートフォン取付部は略平行な対になったスマートフォン取付体を有し、このスマートフォン取付体の間にスマートフォンを挿入・把持するスマートフォン把持部を有することを特徴とするスマートフォンスタンド。
【発明の効果】
【０００７】
上記の問題点を解決し、コンパクト・軽量で、取り扱いの簡単なスマートフォンスタンドを提供する。
【図面の簡単な説明】
【０００８】
【図１】第一の実施例のスマートフォンスタンドのスマートフォン取付部を倒した状態の斜視図である。
【図２】第一の実施例のスマートフォンスタンドのスマートフォン取付部を立てた状態の斜視図である。
【図３】第一の実施例のスマートフォンスタンドのスマートフォン取付部を倒した状態の六面図である。底面図は平面図と対称に表れる。左側面図は右側面図と対称に表れる。
【図４】第一の実施例のスマートフォンスタンドのスマートフォン取付部を立てた状態の六面図である。背面図は正面図と対称に表れる。左側面図は右側面図と対称に表れる。
【図５】第一の実施例のスマートフォンスタンドの使用状態を示す正面図、右側面図である。
【図６】第二の実施例のスマートフォンスタンドの側面図である。
【図７】第三の実施例のスマートフォンスタンドの側面図である。
【図８】第四の実施例のスマートフォンスタンドのスマートフォン取付部を立てた状態の斜視図である。
【発明を実施するための形態】
【０００９】
ペットボトルのキャップに嵌合する環状の篏合部を有する本体部と、この本体部に設けられた回転軸と、この回転軸周りに回転可能なスマートフォン取付部とから構成され、このスマートフォン取付部は対になったスマートフォン取付体を有し、このスマートフォン取付体の間にスマートフォンを挿入・把持するスマートフォン把持部を有すること特徴とするスマートフォンスタンド。
【００１０】
ペットボトルのキャップに嵌合する環状の篏合部を有する本体部と、この本体部の一端に設けられた回転軸と、この一端の略１８０度反対側の他端部に設けられた回転軸周りに回転可能なスマートフォン取付部から構成され、このスマートフォン取付部は対になったスマートフォン取付体を有し、このスマートフォン取付体の間にスマートフォンを挿入・把持するスマートフォン把持部を有すること特徴とするスマートフォンスタンド。
【００１１】
上記のスマートフォンスタンドの回転軸に回転調整部を設けたことを特徴とするスマートフォンスタンド。
【実施例】
【００１２】
図１、図２、図３、図４により、第一の実施例のスマートフォンスタンドを説明する。スマートフォンスタンド１０はペットボトルのキャップに嵌合する環状の篏合部２１を有する本体部２０と、この本体部２０の一端に設けられた回転軸４０と、この一端の略１８０度反対側の他端部に設けられた回転軸４０周りに回転可能なスマートフォン取付部３０から構成されている。篏合部２１には、キャップのセレーションより少し大きいセレーションが設けられている。。
【００１３】
本体部２０の材料は、エラストマー又はプラスチックが用いられる。篏合部２１には、ペットボトルのキャップのセレーションに篏合するセレーションが設けられている。回転軸４０は、円柱状の本体部側回転軸２２と丸穴状のスマートフォン取付部側回転軸３２とにより構成されている。
【００１４】
このスマートフォン取付部３０は略平行な対になったスマートフォン取付体３１を有し、このスマートフォン取付体３１の間にスマートフォンを挿入・把持するスマートフォン把持部３３を有している。スマートフォン取付部３０は、スマートフォン把持部３３にスマートフォンをしっかり把持する為、硬質のエラストマー又はプラスチックにより形成されている。
【００１５】
スマートフォンスタンド１０は、非使用時は図１、図３のようにスマートフォン取付部３０を倒して畳んだ状態にする。使用時は図２、図４のようにスマートフォン取付部３０を立てて使用する。
使用時は、図５のようにスマートフォンスタンド１０をペットボトル５０のキャップに嵌合させ、スマートフォン把持部３３にスマートフォン６０を挿入して自立させることができる
【００１６】
この実施例のスマートフォンスタンド１０は、非使用時は高さ方向はペットボトルのキャップの高さと略同じで、径方向には直径の２割から３割増しの大きさに抑えることができ、軽量・コンパクトに形成することができる。このスマートフォンスタンド１０は、キャップオープナーとしても利用でき、ペットボトル５０に付けたままでも邪魔にならず、外出中でも直ぐに撮影に取り掛かることができる。
【００１７】
図６は第二の実施例のスマートフォンスタンドであり、スマートフォン取付体３１の内面に保持材３４を設けたものである。保持材３４はエラストマーやスポンジのように弾力があり摩擦係数の大きい材料でできており、スマートフォンの厚みが異なっても、しっかり把持できるようにしている。
【００１８】
図７は第三の実施例のスマートフォンスタンド１０であり、回転軸４０に、回転調整部４１を設けたものである。回転軸４０を中心に放射状の凹凸が対向して設けられて、回転方向の動きを調整し、不用意な回転を防止することができる。
図８は第四の実施例のスマートフォンスタンドであり、カメラを取り付ける為のカメラ取付体３５を着脱できるようにしたものである。
【産業上の利用可能性】
【００１９】
この発明は、特にスマートフォンに適用されるが、カメラ付き携帯電話や他の情報機器に広く利用可能であり、又ペットボトルだけでなく他の材料の容器にも利用可能である。
【符号の説明】
【００２０】
１０はスマートフォンスタンド
２０は本体
２１は嵌合部
２２は本体側回転軸
３０はスマートフォン取付部
３１はスマートフォン取付体
３２はスマートフォン取付部側回転軸
３３はスマートフォン把持部
３４は保持材
３５はカメラ取付体
４０は回転軸
４１は回転調整部
５０はペットボトル
５１はキャップ
６０はスマートフォン
【図１】
2020034791.tif 000003
【図２】
2020034791.tif 000004
【図３】
2020034791.tif 000005
【図４】
2020034791.tif 000006
【図５】
2020034791.tif 000007
【図６】
2020034791.tif 000008
【図７】
2020034791.tif 000009
【図８】
2020034791.tif 000010